(57)【要約】【課題】被収納物を表裏反転させることなく積み重ねて収納できるコンパクトなスタッカーを提供する。【解決手段】底板(2e)と複数枚のカード(Cd)を底板の上に積み重ねた状態で収納可能な収納部(2s)と底板よりも上方に設けられ外部から進入したカードを収納部に誘導する誘導部とを備える。誘導部は、カードが略水平な姿勢でスタッカー(2)内に第１の移動方向(DR1)で進入した際に、カードの先頭(Cdnt)が当接してその進入を規制する側壁(2a)と、カードの進入が規制された状態で、カードの第１の移動方向(DR1)に対する左右いずれか一方(Cdmr)側の下面を支持して他方(Cdml)側が低くなるように傾斜させる傾斜部(2h)とを有する。傾斜部で傾斜したカードが、第１の移動方向に略直交する第２の移動方向に重力により移動して収納部に誘導されると共に底板上に積み重ねられる。【選択図】図４
2010195579.tif 000002
【特許請求の範囲】
【請求項１】
底板と、複数枚のカードを前記底板の上に積み重ねた状態で収納可能な収納部と、前記底板よりも上方に設けられ外部から進入した前記カードを前記収納部に誘導する誘導部と、を備えるスタッカーであって、
前記誘導部は、
前記カードが略水平な姿勢で前記スタッカー内に第１の移動方向で進入した際に、前記カードの先頭が当接してその進入を規制する側壁と、
前記カードの進入が規制された状態で、前記カードの前記第１の移動方向に対する左右いずれか一方側の下面を支持して他方側が低くなるように傾斜させる傾斜部と、を有し、
前記傾斜部で傾斜した前記カードが、前記第１の移動方向に略直交する第２の移動方向に重力により移動して前記収納部に誘導されると共に前記底板上に積み重ねられるよう構成したことを特徴とするスタッカー。
【請求項２】
前記傾斜部は、前記第２の移動方向に第１の所定角度で下降する第１の傾斜面を有し、
前記底板は、前記第２の移動方向に前記第１の所定角度で下降する第２の傾斜面を有し、
前記カードは、前記第２の傾斜面の上に積み重ねられることを特徴とする請求項１記載のスタッカー。
【請求項３】
前記第１の傾斜面は、前記第１の移動方向に第２の所定角度で下降することを特徴とする請求項２記載のスタッカー。
【請求項４】
前記第１の傾斜面は、全面が平坦の場合と比べて前記カードとの接触面積を小とする接触面積小化手段を有していることを特徴とする請求項２又は請求項３記載のスタッカー。
【請求項５】
底板と、複数枚のカードを前記底板の上に積み重ねた状態で収納可能な収納部と、前記底板よりも上方に設けられ外部から進入した前記カードを前記収納部に誘導する誘導部と、を備えるスタッカーであって、
前記誘導部は、
前記カードが略水平な姿勢で前記スタッカー内に第１の移動方向で進入した際に、前記カードの先頭が当接してその進入を規制する側壁と、
前記カードの進入が規制された状態で、前記カードの前記第１の移動方向に対する左右いずれか一方側の下面を支持して他方側が低くなるように傾斜させる第１の傾斜部と、
前記第１の傾斜部で傾斜した前記カードを、前記第１の移動方向に略直交する第２の移動方向に重力により移動させつつ前記下面に当接してその移動を案内する第２の傾斜部と、を有し、
前記カードが、前記第２の傾斜部で案内されて前記収納部に誘導されると共に前記底板上に積み重ねられるよう構成したことを特徴とするスタッカー。
【請求項６】
前記第１の傾斜部は、前記第１の移動方向に第１の所定角度で下降する第１の傾斜面を有することを特徴とする請求項５記載のスタッカー。
【請求項７】
前記第２の傾斜部は、前記第２の移動方向に第２の所定角度で下降する第２の傾斜面を有し、
前記底板は、前記第２の移動方向に前記第２の所定角度で下降する第３の傾斜面を有し、
前記カードは、前記第３の傾斜面の上に積み重ねられることを特徴とする請求項５又は請求項６記載のスタッカー。
【請求項８】
前記第１の傾斜面又は前記第２の傾斜面は、全面が平坦の場合と比べて前記カードとの接触面積を小とする接触面積小化手段を有していることを特徴とする請求項７記載のスタッカー。
【請求項９】
前記収納部は、前記底板と連結し前記底板の上に積み重ねられた前記カードの位置決めをする位置決め壁部を有することを特徴とする請求項１又は請求項５記載のスタッカー。
【請求項１０】
前記接触面積小化手段は、開口部，凹部，及び凸部のいずれかであることを特徴とする請求項４又は請求項８記載のスタッカー。
【請求項１１】
カードに付加処理を施すカード処理装置であって、
本体部と、
前記本体部の一側面に設けられ前記カードを外部に第１の移動方向で排出する排出口と、
前記排出口から順次排出された前記カードを積み重ねて収納する収納部を有するスタッカーと、
を備え、
前記スタッカーは、前記第１の移動方向で排出された前記カードを前記第１の排出方向に対して略直交する第２の移動方向に重力により移動させて前記収納部に誘導する誘導部を有することを特徴とするカード処理装置。
【請求項１２】
前記一側面は前記本体部の左右いずれかの側面であり、
前記第２の移動方向は、前記本体部の後方側から前方側に向かう方向であることを特徴とする請求項１１記載のカード処理装置。
【発明の詳細な説明】
【技術分野】
【０００１】
本発明は、スタッカー及びそれを備えたカード処理装置に係り、特に、カード処理装置がカードに対して印刷処理、ラミネート処理、磁気的処理、電気的処理などの二次的処理を行う装置で、そのカード処理装置から排出されたカードを積み重ねて収納するスタッカーと、そのスタッカーを備えたカード処理装置に関するものである。
【背景技術】
【０００２】
従来のスタッカーの例として特許文献１に記載されたものがある。
特許文献１に記載されたスタッカーは、カードを被収納物とし、そのカードを積み重ねて収納するものである。
具体的には、カード処理装置の一例であるカード印刷装置の側面に設けられた搬出口に取り付けられ、搬出口から排出されるカードを、排出された向きのまま積み重ねて収納するものである。
【先行技術文献】
【特許文献】
【０００３】
【特許文献１】特開２００５−２８０９５４号公報
【発明の概要】
【発明が解決しようとする課題】
【０００４】
ところで、特許文献１に記載されたスタッカーは、排出口から排出されたカードを支持する部分がないので、カードは、排出口から排出されると直ちに空間を自然落下するようになっている。
従って、カードは、落下姿勢が安定し難く、空間を落下する間に反転してしまう場合がある。その結果、積み重なって収納されたカードに、表裏が逆転したものが混在する可能性がある。
【０００５】
そこで、図１７に示すようなスタッカーが提案されている。
図１７は、カード処理装置１０１とスタッカー１０５とを示す外観斜視図である。便宜的に図に示すように上下左右方向を設定する。
【０００６】
図１７において、カード処理装置１０１における左側面１０１ｓのやや上方よりには、カードの排出口１０１ａが設けられている。
スタッカー１０５は、カード処理装置１０１の左側に、その排出口１０１ａに対応して設置されており、排出口１０１ａから排出されたカードＣｄを積み重ねて収納する。
【０００７】
具体的には、スタッカー１０５は、傾斜面部１０５ａと収納部１０５ｂとを備えて形成されている。
傾斜面部１０５ａは、排出口１０１ａ側が高く、カードの排出方向に沿って左方に向かうに従って低くなる傾斜面を有する。
収納部１０５ｂは、傾斜面部１０５ａに対して排出方向のさらに外側に配置され略箱状に形成されている。
【０００８】
この構成により、排出口１０１ａから排出されたカードＣｄは、傾斜面部１０５ａを滑降して箱状の収納部１０５ｂに落下投入される。
カードＣｄは、落下過程で傾斜面部１０５ａにより重力方向に支持されるので、収納部１０５ｂに安定した姿勢で落下投入される。
従って、カードＣｄは収納部１０５ｂへの落下途中で反転することがなく、すべて同じ向きで積み重なって収納される。
【０００９】
しかしながら、スタッカー１０５は、排出方向に沿って傾斜面部と収納部とを有するので、カード処理装置１０１の左側の出っ張り量Ｗ５が大きくなっている。
そのため、設置スペース効率を向上させる観点から、スタッカーやそれを備えたカード処理装置は出っ張り量Ｗ５が小さくコンパクトであることが望まれていた。
【００１０】
そこで、本発明が解決しようとする課題は、被収納物を表裏反転させることなく積み重ねて収納でき、コンパクトなスタッカーを提供することにある。
また、被収納物をカードとした際に、カードを表裏反転させることなく積み重ねて収納でき、コンパクトなスタッカー及びそれを備えたカード処理装置を提供することにある。
【課題を解決するための手段】
【００１１】
上記の課題を解決するために、本願発明は手段として次の１）〜１２）の構成を有する。
１）  底板(2e)と、複数枚のカード(Cd)を前記底板の上に積み重ねた状態で収納可能な収納部(2s)と、前記底板(2e)よりも上方に設けられ外部から進入した前記カード(Cd)を前記収納部(2s)に誘導する誘導部と、を備えるスタッカー(2)であって、
前記誘導部は、
前記カード(Cd)が略水平な姿勢で前記スタッカー(2)内に第１の移動方向(DR1)で進入した際に、前記カード(Cd)の先頭(Cdnt)が当接してその進入を規制する側壁(2a)と、
前記カード(Cd)の進入が規制された状態で、前記カード(Cd)の前記第１の移動方向(DR1)に対する左右いずれか一方(Cdmr)側の下面を支持して他方(Cdml)側が低くなるように傾斜させる傾斜部(2h)と、を有し、
前記傾斜部(2h)で傾斜した前記カード(Cd)が、前記第１の移動方向(DR1)に略直交する第２の移動方向(DR3)に重力により移動して前記収納部(2s)に誘導されると共に前記底板(2e)上に積み重ねられるよう構成したことを特徴とするスタッカー(2)である。
２）  前記傾斜部(2h)は、前記第２の移動方向(DR3)に第１の所定角度(θ2)で下降する第１の傾斜面(2hu)を有し、
前記底板(2e)は、前記第２の移動方向(DR3)に前記第１の所定角度(θ2)で下降する第２の傾斜面(2e2)を有し、
前記カード(Cd)は、前記第２の傾斜面(2e2)の上に積み重ねられることを特徴とする１）に記載のスタッカー(2)である。
３）  前記第１の傾斜面(2hu)は、前記第１の移動方向(DR1)に第２の所定角度(θ1)で下降することを特徴とする２）に記載のスタッカー(2)である。
４）  前記第１の傾斜面(2hu)は、全面が平坦の場合と比べて前記カード(Cd)との接触面積を小とする接触面積小化手段を有していることを特徴とする２）又は３）に記載のスタッカー(2)である。
５）  底板(4e)と、複数枚のカード(Cd)を前記底板(4e)の上に積み重ねた状態で収納可能な収納部(4s)と、前記底板(4e)よりも上方に設けられ外部から進入した前記カード(Cd)を前記収納部(4s)に誘導する誘導部と、を備えるスタッカー(4)であって、
前記誘導部は、
前記カード(Cd)が略水平な姿勢で前記スタッカー(4)内に第１の移動方向(DR1)で進入した際に、前記カード(Cd)の先頭(Cdnt)が当接してその進入を規制する側壁(4a)と、
前記カード(Cd)の進入が規制された状態で、前記カード(Cd)の前記第１の移動方向(DR1)に対する左右いずれか一方(Cdmr)側の下面を支持して他方(Cdml)側が低くなるように傾斜させる第１の傾斜部(4g)と、
前記第１の傾斜部(4g)で傾斜した前記カード(Cd)を、前記第１の移動方向(DR1)に略直交する第２の移動方向(DR3)に重力により移動させつつ前記下面に当接してその移動を案内する第２の傾斜部(4j)と、を有し、
前記カード(Cd)が、前記第２の傾斜部(4j)で案内されて前記収納部(4s)に誘導されると共に前記底板(4e)上に積み重ねられるよう構成したことを特徴とするスタッカー(4)である。
６）前記第１の傾斜部(4g)は、前記第１の移動方向(DR1)に第１の所定角度(β1)で下降する第１の傾斜面(4gu)を有することを特徴とする５）に記載のスタッカー(4)である。
７）  前記第２の傾斜部(4j)は、前記第２の移動方向(DR3)に第２の所定角度(β3)で下降する第２の傾斜面(4ju)を有し、
前記底板(4e)は、前記第２の移動方向(DR3)に前記第２の所定角度(β3)で下降する第３の傾斜面(4e2)を有し、
前記カード(Cd)は、前記第２の傾斜面(4e2)の上に積み重ねられることを特徴とする５）又は６）に記載のスタッカー(4)である。
８）  前記第１の傾斜面(4gu)または前記第２の傾斜面(4ju)は、全面が平坦の場合と比べて前記カード(Cd)との接触面積を小とする接触面積小化手段(4m,4n,4k)を有していることを特徴とする７）に記載のスタッカー(4)である。
９）  前記収納部(4s)は、前記底板(4e)と連結し前記底板(4e)の上に積み重ねられた前記カード(Cd)の位置決めをする位置決め壁部(4a,4b,4c,4d1,4d2,4e)を有することを特徴とする１）又は５）に記載のスタッカー(4)である。
１０）前記接触面積小化手段は、開口部(4m,4n)，凹部，及び凸部(4k)のいずれかであることを特徴とする４）又は８）記載のスタッカー((2),4)である。
１１）  カード(Cd)に付加処理を施すカード処理装置であって、
本体部(1h)と、
前記本体部(1h)の一側面(1s)に設けられ前記カード(Cd)を外部に第１の移動方向(DR1)で排出する排出口(1a)と、
前記排出口(1a)から順次排出された前記カード(Cd)を積み重ねて収納する収納部(2s,4s)を有するスタッカー(2,4)と、
を備え、
前記スタッカー(2,4)は、前記第１の移動方向(DR1)で排出された前記カード(Cd)を前記第１の排出方向(DR1)に対して略直交する第２の移動方向(DR3)に重力により移動させて前記収納部(2s,4s)に誘導する誘導部(2h,4h)を有することを特徴とするカード処理装置(1)である。
１２）  前記一側面(1s)は前記本体部の左右いずれかの側面であり、
前記第２の移動方向(DR3)は、前記本体部の後方側から前方側に向かう方向であることを特徴とする１１）に記載のカード処理装置(1)である。
【発明の効果】
【００１２】
本発明のスタッカーによれば、被収納物を表裏反転させることなく積み重ねて収納でき、コンパクトであるという効果が得られる。
また、本発明のスタッカーを備えたカード処理装置によれば、表裏が反転したカードが混在することなくカードを積み重ねて収納でき、カード処理装置の外面からの出っ張り量が小さくコンパクトであるという効果が得られる。
【図面の簡単な説明】
【００１３】
【図１】本発明のスタッカー及びそれを備えたカード処理装置の実施例を示す外観図である。
【図２】本発明のカード処理装置の排出口及びその排出口から排出されるカードを説明するための図である。
【図３】本発明のスタッカーの実施例を説明するための外観図である。
【図４】本発明のスタッカーの実施例にカードが収納される過程を説明するための第１の図である。
【図５】本発明のスタッカーの実施例にカードが収納される過程を説明するための第２の図である。
【図６】本発明のスタッカーの実施例にカードが収納される過程を説明するための第３の図である。
【図７】本発明のスタッカーの実施例にカードが収納される過程を説明するための第４の図である。
【図８】本発明のスタッカーとそれを備えたカード処理装置の他の実施例を示す外観図である。
【図９】本発明のスタッカーの他の実施例を説明するための外観図である。
【図１０】本発明のスタッカーの他の実施例にカードが収納される過程を説明するための第１の図である。
【図１１】本発明のスタッカーの他の実施例にカードが収納される過程を説明するための第２の図である。
【図１２】本発明のスタッカーの他の実施例にカードが収納される過程を説明するための第３の図である。
【図１３】本発明のスタッカーの他の実施例にカードが収納される過程を説明するための第４の図である。
【図１４】本発明のスタッカーの他の実施例にカードが収納される過程を説明するための第５の図である。
【図１５】本発明のスタッカーの他の実施例における要部を説明するための断面図である。
【図１６】本発明のスタッカーの他の実施例における作用を説明するための図である。
【図１７】従来のスタッカーとそれを備えたカード処理装置を説明するための外観図である。
【発明を実施するための形態】
【００１４】
本発明の実施の形態を、好ましい実施例により図１〜図１６を用いて説明する。
【００１５】
図１は、実施例のスタッカー２及びカード処理装置１を示す斜視図である。
この実施例において、スタッカー２は、被収納物としてカードＣｄを収納するものであり、カード処理装置１は、カードＣｄに対して印刷処理を施して排出するカードプリンタである。
また、左右上下前後の各方向を、図１に示す方向に設定して以下説明する。
【００１６】
カード処理装置１は、本体部１ｈの左側の側面１ｓにおけるやや上方寄りにカードＣｄを排出する排出口１ａを有している。
排出口１ａは、その中心位置がカード処理装置１の前面１ｆに対して距離Ｄ１だけ後方側にある。
スタッカー２は、カード処理装置１の左側に設置される。
スタッカー２は、カード処理装置１の側面１ｓに対し図示しない係合手段により係合してカード処理装置１と一体化されている。
【００１７】
図２は、排出口１ａとそこから排出途中のカードＣｄとを示す斜視図である。
図２に示すように、カードＣｄは長手辺Ｃｄｎと短手辺Ｃｄｍの各一対からなる矩形に形成されている。
カードＣｄの寸法例としては、長手寸法をＬｃｎ、短手寸法をＬｃｍとすると、Ｌｃｎ＝８５．６ｍｍ、Ｌｃｍ＝５４．０ｍｍである。
【００１８】
カード処理装置１は、カードＣｄに対して印刷などの処理を施した後、処理済みのカードＣｄを排出口１ａから一方の長手辺Ｃｄｎを先頭として矢印ＤＲ１で示した排出方向に排出する。
ここで、排出されるカードＣｄの各辺について、以下のように符号を付与する。
すなわち、排出口１ａから排出される際の先頭となる長手辺ＣｄｎをＣｄｎｔ，後尾となる長手辺ＣｄｎをＣｄｎｅ，排出方向に対して右手（カード処理装置の後方側）短手辺ＣｄｍをＣｄｍｒ，左手（カード処理装置の前方側）短手辺ＣｄｍをＣｄｍｌとする。
【００１９】
図３はスタッカー２を示す斜視図である。図３においても、便宜的に図１で設定した上下左右前後の各方向を設定し、この方向を利用して説明する。
【００２０】
スタッカー２は、上下方向に延在する複数の壁部を有し、各壁部で囲まれた空間Ｓに被収納物を収納可能な概ね箱状に形成されている。
【００２１】
スタッカー２は、例えば樹脂の射出成形により形成する。使用できる樹脂の例としてアクリル樹脂がある。特に、ポリメタクリル酸メチル樹脂（ＰＭＭＡ）を用いて透明に形成すると外観品位は大変良好である。
【００２２】
詳しく説明すると、スタッカー２は、互いに対向し上下方向に延在する一対の側壁である左壁部２ａ及び右壁部２ｂと、左壁部２ａ及び右壁部２ｂを後方側で連結する後壁部２ｃと、左壁部２ａ及び右壁部２ｂの各前方側において互いに接近する方向に延出した一対の前壁部２ｄ１，２ｄ２と、これらの壁部２ａ，２ｂ，２ｃ，２ｄ１，２ｄ２に接続し、後方側に対して前方側が低くなるよう傾斜した底板である底壁部２ｅと、を有して形成されている。
【００２３】
左右の壁部２ａ，２ｂの間隔は、収納するカードＣｄの短手長さＬｃｍに対して僅かに大きく設定されている。
【００２４】
一対の前壁部２ｄ１，２ｄ２の間には空隙２ｆが形成される。
底壁部２ｅには、空隙２ｆに対応する開口幅の切り込み部２ｅ１が形成されている。
この切り込み部２ｅ１は、空間Ｓ内に収納されたカードＣｄを手で取り出す際に、指をカードＣｄの下側に入れるための切り込みである。
左，右，後，前，底の各壁部２ａ，２ｂ，２ｃ，２ｄ１，２ｄ２，２ｅは、収納部２ｓを形成し、これらが囲む空間Ｓは、カードＣｄを底壁部２ｅ上に積み重ねて収納するための収納空間となる。
【００２５】
左壁部２ａは、その上端部２ａ１が、後方側から前方側に向けて徐々に低くなるように傾斜するよう形成されている。この傾斜角度は、底壁部２ｅの傾斜角度とほぼ同じとされている。
右壁部２ｂは、その上端部２ｂ１の後方側に、長さＬ１で水平とされた排出ガイド部２ｂｇを有して形成されている。長さＬ１は、カードＣｄの長手長さＬｃｎより短く設定されている。
上端部２ｂ１の前方側の部位は、左壁部２ａの上端部２ａ１と同じ高さで底壁部２ｅの傾斜角度とほぼ同じ角度に傾斜するように形成されている。
【００２６】
後壁部２ｃは、その上方側に傾斜面部２ｈが設けられている。
傾斜面部２ｈの上面２ｈｕは、排出方向ＤＲ１に沿っては、右方から左方に向かうに従って低くなるように、且つ、後述する排出方向ＤＲ３に沿っては、上方に向かうに従って前壁部２ｄ１，２ｄ２から離れるように傾斜した面として形成されている。
この傾斜面部２ｈの上面２ｈｕの傾斜方向は、図３に示す矢印Ｕの方向であり、上面２ｈｕは、右後側が最も高く左前側が最も低くなるよう傾斜している。
傾斜面部２ｈの右後方端Ｐ１と排出ガイド部２ｂｇの前方端Ｐ２との距離Ｌ４は、排出口１ａの幅とほぼ同じに設定されている。
【００２７】
ストッカー２は、カード処理装置１に対して、この右後方端Ｐ１と前方端Ｐ２との間の範囲が排出口１ａの直下に位置するよう装着されている。
また、傾斜面部２ｈの前方側の縁部２ｈ１、すなわち、傾斜面部２ｈが後壁部２ｃと接続する稜線の位置は、排出ガイド部２ｂｇの後端から距離Ｌ２だけ前方側に寄っている。
距離Ｌ２の設定例は、２０ｍｍである。
また、傾斜面部２ｈにおける上面２ｈｕの傾斜角度例は次のとおりである。
すなわち、図３に示す、水平に対する左右方向の傾斜角度θ１については、１０°〜２０°であり、水平に対する前後方向の傾斜角度θ２については、２０°〜４０°である。
【００２８】
次に、図１〜図７を用い、スタッカー２にカードＣｄが収納される過程を説明する。
【００２９】
図１に示すように、スタッカー２は、その右壁部２ｂがカード処理装置１の左側の側面１ｓに装着される。
この状態で、スタッカー２の排出ガイド部２ｇｂを含む右後方端Ｐ１と前方端Ｐ２との間の範囲が排出口１ａの直下に位置する。
【００３０】
図４は、排出口１ａからカードＣｄが排出される途中の状態を示している。
カードＣｄは、排出口１から、長手方向がカード処理装置の前後方向となる向きで矢印ＤＲ１にて示される方向に排出される。すなわち、長手辺Ｃｄｎｔが先頭となるように排出される。
【００３１】
ここで、前述のように、右後方端Ｐ１と前方端Ｐ２との間の範囲が排出口１ａの直下に位置するよう装着され、傾斜面部２ｈの前方側の縁部２ｈ１が排出ガイド部２ｂｇの後端から距離Ｌ２だけ前方側に寄った位置にあるので（図３参照）、排出口１ａから排出されたカードＣｄは、まず排出ガイド部２ｂｇで下方側から支持され、排出が進行すると先頭端である長手辺Ｃｄｎｔが傾斜面部２ｈに載る。
【００３２】
そして、図５に示すように、排出の後尾端である長手辺Ｃｄｎｅが排出ガイド部２ｂｇを通過すると、ほどなく、左壁部２ａの内面２ａ２に、傾斜面部２ｈに載ったカードＣｄの先頭端の長手辺Ｃｄｎｔが当接する。
【００３３】
さらに、傾斜面部２ｈの上面２ｈｕが、右後側が高く左前側が低くなるよう矢印Ｕ方向（図４参照）に傾斜していることから、カードＣｄは、その短手辺Ｃｄｍｌ側が低くなるよう傾斜した姿勢となり、重力の作用によって矢印ＤＲ３方向に滑り落ちる。
左壁部２ａは、カードＣｄの長手辺Ｃｄｎｔが当接する部位とその近傍が、排出方向ＤＲ１に対して概ね直交する面内に延在するよう形成されているので、カードＣｄの排出方向は、矢印ＤＲ１から矢印ＤＲ３に転換される。
スタッカー２を上方から見た場合、左回りに９０°だけ方向転換される。
【００３４】
図６はカードＣｄの落下途中の状態を示した図である。カードＣｄは、矢印ＤＲ３で示す方向に底壁部２ｅに向かって落下する。
図７はカードＣｄが底壁部２ｅの上に載った状態を示している。
この図７のカードＣｄは積み重ねの１枚目である。２枚目以降は、一つ前のカードＣｄの上に同様の収納過程で順次積み重ねられていく。
【００３５】
図５及び図６において、矢印ＤＲ３方向に滑り落ちる際のカードＣｄの姿勢は、左壁部２ａによって、カードＣｄの排出口１ａからの移動が規制されると共にその排出時に先頭となる長手辺Ｃｄｎｔの位置が決められ、さらに、重力方向については、カードＣｄが矢印ＤＲ３方向に滑り落ちる際に、後方側となる短手辺Ｃｄｍｒ側が傾斜面部２ｈで支持されるので、極めて安定した姿勢となる。
従って、カードＣｄは、落下の過程で表裏反転することはなく、また、左右方向の位置のずれもほとんどなく底壁部２ｅ上に積み重ねられていく。
【００３６】
以上の構成により、カードＣｄの排出方向が矢印ＤＲ１方向から矢印ＤＲ３に転換されるので、スタッカー２の幅Ｗ１（図１も参照）は、カードＣｄの短手方向長さＬｃｍと左右の側壁部２ａ，２ｂの厚さを加えた程度の極めて小さい幅で済み、スタッカー２は大変コンパクトになる。
従って、このスタッカー２をカード処理装置１に装着した際の全体の幅Ｗ２（図１参照）も、大変小さくて済むので、狭いスペースであってもスタッカー２を備えたカード処理装置１を設置することができる。
【００３７】
また、図１に示すように、スタッカー２は、その前壁部２ｄ１，２ｄ２の外面（前方側の面）が、カード処理装置１の前面１ｆと前後方向で略同じ位置になるよう形成されている。
そして、後壁部２ｃと前壁部２ｄ１，２ｄ２との間の距離Ｌ３（図３参照）は、カードＣｄの長手方向の長さＬｃｎより僅かに大きく設定されている。
これにより、排出口１ａが前面１ｆから中心位置で距離Ｄ１だけ奥まった位置にあっても、収納されたカードＣｄを手前側で取り出すことができ、取り扱いが大変楽になる。また、収納されたカードＣｄの収納部２ｓ内でのがたは大変少なくなっている。
【００３８】
また、図３において、底壁部２ｅは、カードＣｄが載る上面２ｅ２の前後方向の傾斜角度θｅを、傾斜面部２ｈにおける前後方向の傾斜角度θ２と同じ角度にするとよい。さらに、左右方向の傾斜角度も同じとして、底壁部２ｅの上面２ｅ２と傾斜面部２ｈの傾斜面とを互いに平行な面として形成するとよい。
これらにより、カードＣｄが落下し始める際の姿勢と、落下して底壁部２ｅの上面２ｅ２または上面２ｅ２に積み重なった一つ前に排出されたカードの上に到達した際の姿勢とがほぼ一致し、到達時の底壁部２ｅでの跳ね返りが抑制されるので、カードＣｄの収納姿勢は常に安定してこれをより整然と収納することができる。また、偶発的な収納エラーの発生をより確実に防止することができる。
【００３９】
次に他の実施例について詳述する。
【００４０】
図８は他の実施例のスタッカー４とカード処理装置１と示す斜視図である。
カード処理装置１は、上述した実施例のものと同じであり、以下の説明において、一部重複する記載がある。
【００４１】
他の実施例においても、スタッカー４は被収納物としてカードＣｄを収納するものであり、また、カード処理装置１は、カードＣｄに対して印刷処理を施して排出するカードプリンタである。
また、左右上下前後の各方向を、図８に示す方向に設定して以下説明する。
【００４２】
カード処理装置１は、本体部１ｈの左側の側面１ｓにおけるやや上方寄りにカードＣｄを排出する排出口１ａを有している。
排出口１ａは、その中心位置がカード処理装置１の前面１ｆに対して距離Ｄ１だけ後方側にある。
スタッカー４は、カード処理装置１の左側に設置される。
スタッカー４は、カード処理装置１の側面１ｓに対し図示しない係合手段により係合してカード処理装置１と一体化されている。
【００４３】
他の実施例で用いるカードＣｄも、図２に示すように、長手辺Ｃｄｎと短手辺Ｃｄｍの各一対からなる矩形に形成されている。以下、カードＣｄの長手寸法をＬｃｎ、短手寸法をＬｃｍとする。
【００４４】
図２において、カード処理装置１は、カードＣｄに対して印刷などの処理を施した後、処理済みのカードＣｄを排出口１ａから一方の長手辺Ｃｄｎを先頭として矢印ＤＲ１で示した排出方向に排出する。
【００４５】
図９はスタッカー４を示す斜視図である。図９においても、便宜的に図８で設定した上下左右前後の各方向を設定し、この方向を利用して説明する。
【００４６】
スタッカー４は、上下方向に延在する複数の壁部を有し、各壁部で囲まれた空間Ｓに被収納物を収納可能な概ね箱状に形成されている。
【００４７】
スタッカー４は、例えば樹脂の射出成形により形成する。使用できる樹脂の例としてアクリル樹脂がある。特に、ポリメタクリル酸メチル樹脂（ＰＭＭＡ）を用いて透明に形成すると外観品位が大変良好となる。
【００４８】
詳しく説明すると、スタッカー４は、互いに対向し上下方向に延在する一対の側壁である左壁部４ａ及び右壁部４ｂと、左壁部４ａ及び右壁部４ｂを後方側で連結する後壁部４ｃと、左壁部４ａ及び右壁部４ｂの各前方側において互いに接近する方向に延出した一対の前壁部４ｄ１，４ｄ２と、これらの壁部に接続し、後方側に対して前方側が低く成るよう傾斜した底壁部４ｅと、を有して形成されている。
【００４９】
左右の壁部４ａ，４ｂの間隔は、収納するカードＣｄの短手長さＬｃｍに対して僅かに大きく設定されている。
【００５０】
一対の前壁部４ｄ１，４ｄ２の間には空隙４ｆが形成される。
底壁部４ｅには、空隙４ｆに対応する開口幅の切り込み部４ｅ１が形成されている。
この切り込み部４ｅ１は、空間Ｓ内に収納されたカードＣｄを手で取り出す際に指をカードＣｄの下側に入れるための切り込みである。
左，右，前，後，底の各壁部４ａ，４ｂ，４ｃ，４ｄ１，４ｄ２，４ｅは、収納部４ｓを形成し、これらが囲む空間Ｓは、カードＣｄを底壁部４ｅ上に積み重ねて収納するための収納空間となる。
【００５１】
左壁部４ａは、その上端部４ａ１が後方側から前方側に向けて徐々に低くなるように傾斜して形成されている。この傾斜角度は、底壁部４ｅの傾斜角度とほぼ同じとされている。
右壁部４ｂは、その上端部４ｂ１の後方側に、長さＬ４で水平とされた排出ガイド部４ｂｇを有して形成されている。長さＬ４は、カードＣｄの長手寸法Ｌｃｎより短く設定されている。
上端部４ｂ１の前方側の部位は、左壁部４ａの上端部４ａ１と同じ高さで底壁部４ｅの傾斜角度とほぼ同じ角度に傾斜するように形成されている。
【００５２】
後壁部４ｃは、その上方側に、傾斜した面を有する傾斜面部４ｈが形成されている。
そして、傾斜面部４ｈは、傾斜支持部４ｇと落下誘導部４ｊとを有する。
具体的には、後壁部４ｃは、前壁部４ｄ１，４ｄ２と対向する基部４ｃ１と、基部４ｃ１の上端に連接し、カードＣｄの排出方向ＤＲ１沿って右方から左方に向けて低くなるように傾斜する上面４ｇｕを有する傾斜支持部４ｇと、傾斜支持部４ｇの前方端に連接し、カードＣｄの排出方向ＤＲ１沿って右方から左方に向けて低くなるように傾斜すると共に、排出方向ＤＲ１に直交する方向ＤＲ３において後方側から前方側に向けて低くなるように傾斜した上面４ｊｕを有する落下誘導部４ｊと、を有して形成されている。
【００５３】
傾斜支持部４ｇにおける前後方向の幅Ｌ６は、カードＣｄの長手寸法Ｌｃｎの半分よりも小さく設定されている。
【００５４】
ここで、傾斜支持部４ｇにおける、水平に対する左右方向の傾斜角度をβ１とし、落下誘導部４ｊにおける、水平に対する左右方向の傾斜角度をβ２、前後方向の傾斜角度をβ３とすると、β１＝β２であることが望ましい。
また、β１〜β３の内のβ３を最も大きくすることが望ましい。
具体的数値例としては、β１＝β２＝１０°〜２０°、β３＝２０°〜４０°とすることができる。
【００５５】
落下誘導部４ｊの傾斜方向は、図９に示す矢印Ｖの方向である。すなわち、落下誘導部４ｊの上面４ｊｕは、右後側が最も高く左前側が最も低くなるよう傾斜している。
傾斜支持部４ｇにおける右後方端Ｐ４と排出ガイド部４ｂｇにおける前方端Ｐ５との前後方向距離Ｌ５は、排出口１ａの幅とほぼ同じに設定されている。
ストッカー２は、カード処理装置１に対して、この右後方端Ｐ４と前方端Ｐ５との間の範囲が排出口１ａの直下に位置するよう装着されている。
【００５６】
傾斜面部２ｈにおける設定される各傾斜角度の例は次のとおりである。
すなわち、図９に示す、水平に対する左右方向の傾斜角度β１，β２については、１０°〜２０°である。また、水平に対する前後方向の傾斜角度β３については、２０°〜４０°である。
【００５７】
落下誘導部４ｊの４隅それぞれの近傍には、なだらかな曲面で僅かに突出する突出部４ｋが形成されている（図１０も参照）。
また傾斜支持部４ｇと落下誘導部４ｊとには、それぞれ開口部４ｍ，４ｎが形成されている。
【００５８】
突出部４ｋ及び開口部４ｍ，４ｎについての詳細は後述する。
【００５９】
次に、図８〜図１４を用い、スタッカー４にカードＣｄが収納される過程を説明する。
【００６０】
図８に示すように、スタッカー４は、その右壁部４ｂがカード処理装置１の左側の側面１ｓに装着される。
この状態で、スタッカー４の排出ガイド部４ｇｂを含む右後方端Ｐ４と前方端Ｐ５との間の範囲が排出口１ａの直下に位置する。
【００６１】
図１０は、排出口１ａからカードＣｄが排出されている途中の状態を示している。カードＣｄの排出が開始されると、カードＣｄは、傾斜支持部４ｇにおいて最も高い位置となる稜線４ｇ１と排出ガイド部４ｇｂとにより下面側を支持されつつ長手辺Ｃｄｎｔを先頭にして排出方向ＤＲ１に送り出される。
【００６２】
図１１は、排出口１ａからのカードＣｄの排出が終了し、カードＣｄの後尾側である長手辺Ｃｄｎｅが排出ガイド部４ｇｂを通過した状態を示している。
カードＣｄは、排出口１ａからの排出動作の勢いでそのまま排出方向ＤＲ１に移動し、後尾の長手辺Ｃｄｎｅが排出ガイド部４ｇｂを通過すると、短手辺Ｃｄｍｒ側が傾斜支持部４ｇに載り、先頭の長手辺Ｃｄｎｔが左壁部４ａの内面４ａ２に当接する。
ここで、傾斜支持部４ｇの幅Ｌ６は、カードＣｄの長手寸法Ｌｃｎの半分よりも小さく設定されているので、カードＣｄは、傾斜支持部４ｇ上に留まらずに傾斜支持部４ｇと落下誘導部４ｊとが接続する稜線の回りに回動し（矢印ＤＲ４方向：図１２参照）、短手辺Ｃｄｍｌ側が低くなるように傾く。
【００６３】
図１２は、カードＣｄが、その短手辺Ｃｄｍｒ側が傾斜支持部４ｇ上にあり短手辺Ｃｄｍｌ側が矢印ＤＲ４方向に回動して傾斜した姿勢となった状態を示す。
このように傾斜したカードＣｄは、次にその下面が落下誘導部４ｊに当接し、その落下誘導部４ｊ上を滑りながら底壁部４ｅに向かい重力によって矢印ＤＲ３方向に落下していく。
カードＣｄが落下誘導部４ｊ上を滑落する際には、主に突起４ｋ（図１０及び図９参照）と点接触する。
左壁部４ａは、カードＣｄの長手辺Ｃｄｎｔが当接する部位とその近傍が、排出方向ＤＲ１に対して概ね直交する面内に延在するよう形成されているので、カードＣｄの排出方向は、矢印ＤＲ１から矢印ＤＲ３に転換される。
すなわち、カードＣｄの排出方向は、傾斜支持部４ｇ，落下誘導部４ｊ，及び左壁部４ａにより、スタッカー４の上方からみて左回りに９０°だけ方向転換される。
【００６４】
図１３はカードＣｄの落下途中の状態を示した図である。カードＣｄは、矢印ＤＲ３で示すように底壁部４ｅに向かって落下する。
図１４はカードＣｄが底壁部４ｅの上に載った状態を示している。
この図１４のカードＣｄは積み重ねの１枚目である。２枚目以降は、一つ前のカードＣｄの上に同様の収納過程で順次積み重ねられていく。
【００６５】
図１３において矢印ＤＲ３方向に滑り落ちる際のカードＣｄの姿勢は、図１２に示すように、左壁部４ａによって、カードＣｄの排出口１ａからの移動が規制されると共にその排出時に先頭となる長手辺Ｃｄｎｔの位置が決められ、さらに、重力方向については、滑り落ちる際に後尾側となる短手辺Ｃｄｍｒ側がまず傾斜支持部２ｇで支持され、次に落下誘導部４ｊに支持されつつその落下誘導部４ｊ上を滑落するので、極めて安定した姿勢となる。
従って、カードＣｄは、落下の過程で表裏反転することはなく、また、左右方向の位置のずれもなく底壁部２ｅ上に積み重ねられていく。
【００６６】
以上の構成により、カードＣｄの排出方向が矢印ＤＲ１方向から矢印ＤＲ３に転換されるので、スタッカー４の幅Ｗ３（図９参照）は、カードの短手寸法Ｌｃｍと左右の側壁部２ａ，２ｂの厚さを加えた程度の極めて小さい幅で済み、スタッカー４は大変コンパクトになる。
このスタッカー４をカード処理装置１に装着した際の全体の幅Ｗ４（図８参照）も、大変小さく済むので、狭いスペースであってもスタッカー４を備えたカード処理装置１を設置することができる。
【００６７】
また、図８に示すように、スタッカー４は、その前壁部４ｄ１，４ｄ２の外面（前方側の面）が、カード処理装置１の前面１ｆと前後方向で略同じ位置になるよう形成されている。
そして、後壁部４ｃと前壁部４ｄ１，４ｄ２との距離Ｌ７（図９参照）は、カードＣｄの長手寸法Ｌｃｎより僅かに大きく設定されている。
これにより、排出口１ａが前面１ｆから中心位置で距離Ｄ１だけ奥まった位置にあっても、収納されたカードＣｄを手前側で取り出すことができ、取り扱いが大変楽になる。また、収納されたカードＣｄの収納部４ｓ内でのがたは大変少なくなっている。
【００６８】
また、図９において、底壁部４ｅは、カードＣｄが載る上面４ｅ２の前後方向の傾斜角度γｅを、落下誘導部４ｊにおける前後方向の傾斜角度β３と同じ角度にするとよい。さらに、左右方向の傾斜角度も同じとして、底壁部４ｅの上面４ｅ２と落下誘導部４ｊの傾斜面とを互いに平行な面として形成するとよい。
これらにより、カードＣｄが落下し始める際の姿勢と、落下して底壁部４ｅの上面４ｅ２または上面４ｅ２に積み重なった一つ前に排出されたカードの上に到達した際の姿勢とがほぼ一致し、到達時の底壁部２ｅでの跳ね返りが抑制されるので、カードＣｄの収納姿勢が常に安定してより整然と収納することができる。また、偶発的な収納エラーの発生をより確実に防止することができる。
【００６９】
スタッカー４には、上述のように、図１４などに示される突起４ｋと開口部４ｍ，４ｎとが形成されている。これらは、傾斜支持部４ｇ及び落下誘導部４ｊ上を移動するカードＣｄの移動を妨げないように、位置、大きさ、及び形状が設定されている。
【００７０】
図１５に突起４ｋの断面形状の例を示す。突起４ｋは移動するカードＣｄの先端が引っ掛からずに乗り上げるように落下誘導部４ｊの上面からなだらかに盛り上がった丘状に形成される。寸法例としては、盛り上がり開始位置の径φｋ＝１０ｍｍ、突出高さｈｋ＝２ｍｍである。
【００７１】
突起４ｋと開口部４ｍ，４ｎは、カードＣｄと傾斜支持部４ｇ及び落下誘導部４ｊとの接触面積をできるだけ少なくするよう形成されている。
カード処理装置１によっては、その装置内で発生した静電気によりカードＣｄが帯電する。
このように帯電したカードＣｄが樹脂で形成された平坦な面に載ると、静電気力によりその面に張り付いてしまう虞がある。
【００７２】
そこで、突起４ｋや開口部４ｍ，４ｎを設けることで、カードＣｄがスタッカー４に面接触し難くなるので、カードＣｄの帯電による張り付きを防止することができる。
カード処理装置１側に除電機能が備わっている場合には、開口部４ｍ，４ｎや突起４ｋがなくても張り付きが生じる虞は少ないが、スタッカー４が取り付けられる装置を選ぶことなく、スタッカーの汎用性を高めるためにこれらは形成されていることが望まれる。
【００７３】
また、突起４ｋ及び開口部４ｍ，４ｎは、他の実施例であるスタッカー４に設けることを示したが、実施例のスタッカー２の傾斜面部２ｈに設けてももちろんよい。
【００７４】
図１６に示すように、スタッカー４は、前壁部４ｄ１，４ｄ２の上端部４ｄ１ａ，４ｄ２ａが、左右の側壁部４ａ，４ｂの上端部４ａ１，４ｂ１の前方隅部４ａ１ａ，４ｂ１ａよりも低い位置にあるように形成されている。
この前壁部４ｄ１，４ｄ２の上端部４ｄ１ａ，４ｄ２ａの位置は、カードＣｄが、収納可能とされた規定枚数以上にカード処理装置１から排出された場合に、前壁部４ｄ１，４ｄ２を乗り越えてスタッカー４の前方（図１６の矢印方向）に落下するように設定されている。図１６は、カードＣｄが規定枚数以上となって前壁部４ｄ１，４ｄ２を乗り越える途中の状態を示している。
従って、過剰な枚数のカードＣｄが積み重なって排出口１ａに達し、カード処理装置１からのカードＣｄの排出に支障をきたすという不具合は生じない。
【００７５】
本発明の実施例は、上述した構成及び手順に限定されるものではなく、本発明の要旨を逸脱しない範囲において変形例としてもよいのは言うまでもない。
スタッカー２はカード処理装置１と別体であっても、カード処理装置１に内蔵されたものでもよい。
カード処理装置１の排出口１ａからのカードＣｄの排出姿勢は、長手辺が先頭ではなく短手辺が先頭になる姿勢であってもよい。
カードは矩形でなくてもよい。カードの形状は限定されるものではなく、いずれの形状であっても、排出口１ａからの排出された姿勢のまま移動方向が概ね９０°転換されて収納部に収納される
スタッカー４に設けられる突出部４ｋ及び開口部４ｍ，４ｎは、接触面積を少なくする接触面積小化手段であり、その手段として、表面から凹んだ凹部を設けてもよい。繰り返しとなるが接触面積小化手段は、スタッカー２に設けてもよい。
被収納物はカードに限るものではない。外形サイズに対して比較的厚い板状のものであってもよい。
【符号の説明】
【００７６】
１  カード処理装置（カードプリンタ）
１ａ  排出口
１ｆ  前面
１ｈ  本体部
１ｓ  側面
２  スタッカー
２ａ，４ａ  左壁部
２ａ１，４ａ１  上端部
２ｂ，４ｂ  右壁部
２ｂ１，４ｂ１  上端部
２ｂｇ，４ｇｂ  排出ガイド部
２ｃ，４ｃ  後壁部
２ｄ１，２ｄ２，４ｄ１，４ｄ２  前壁部
２ｅ，４ｅ  底壁部
２ｅ１，４ｅ１  切り込み部
２ｆ，４ｆ  空隙
２ｈ  傾斜面部
２ｈ１  縁部
２ｈｕ  上面
２ｓ，４ｓ  収納部
４ａ  左壁部
４ａ２  内面
４ｂ  右壁部
４ｃ  後壁部
４ｃ１  基部
４ｅ  底壁部（底板）
４ｅ２  上面
４ｈ  傾斜面部
４ｇ  傾斜支持部
４ｇｕ  上面
４ｊ  落下誘導部
４ｊｕ  上面
４ｋ  突出部
４ｍ，４ｎ  開口部
Ｃｄ  カード（被収納物）
Ｃｄｍ  短手辺
Ｃｄｎ  長手辺
Ｌｃｎ  （カードの）長手寸法
Ｌｃｍ  （カードの）短手寸法
【図１】
2010195579.tif 000003
【図２】
2010195579.tif 000004
【図３】
2010195579.tif 000005
【図４】
2010195579.tif 000006
【図５】
2010195579.tif 000007
【図６】
2010195579.tif 000008
【図７】
2010195579.tif 000009
【図８】
2010195579.tif 000010
【図９】
2010195579.tif 000011
【図１０】
2010195579.tif 000012
【図１１】
2010195579.tif 000013
【図１２】
2010195579.tif 000014
【図１３】
2010195579.tif 000015
【図１４】
2010195579.tif 000016
【図１５】
2010195579.tif 000017
【図１６】
2010195579.tif 000018
【図１７】
2010195579.tif 000019